(57)【特許請求の範囲】
【請求項１】
天板に周壁が立設された上ケースと底板に周壁が立設された下ケースとからなり、記録テープが巻装されたリールを回転可能に単一で収容する略矩形状のケースと、
前記天板に形成され、前記リールの回転エリアを構成する第１内壁と、
前記底板に形成され、前記第１内壁と対向して前記リールの回転エリアを構成する第２内壁と、
前記第１内壁よりも外方側の前記天板に複数突設された第１ビスボスと、
前記第２内壁よりも外方側の前記底板に前記第１ビスボスに突き当て可能に複数突設された第２ビスボスと、
を備えた記録テープカートリッジにおいて、
底面視で前記第１ビスボスと前記リールの回転中心とを結ぶ仮想直線上の前記第１内壁の一部と、平面視で前記第２ビスボスと前記リールの回転中心とを結ぶ仮想直線上の前記第２内壁の一部の何れか一方に凹部を形成するとともに何れか他方に凸部を形成し、前記上ケースと前記下ケースとを接合したときに、前記凹部に前記凸部が突き当たる構成としたことを特徴とする記録テープカートリッジ。
【請求項２】
前記凹部に対する前記凸部の突き当て高さが、前記ビスボスの突き当て高さと同一とされていることを特徴とする請求項１に記載の記録テープカートリッジ。
【請求項３】
前記凹部及び前記凸部が、少なくとも４組形成されていることを特徴とする請求項１又は請求項２に記載の記録テープカートリッジ。
【発明の詳細な説明】
【技術分野】
【０００１】
本発明は、主にコンピューター等の記録再生媒体として使用される磁気テープ等の記録テープをケース内に収容してなる記録テープカートリッジに関する。
【背景技術】
【０００２】
従来から、コンピューター等のデータ記録再生媒体（データバックアップ）として使用される磁気テープ等の記録テープを合成樹脂製のリールに巻装し、そのリールを合成樹脂製のケース内に単一で収容してなる記録テープカートリッジが知られている。この記録テープカートリッジのケースは、主に略矩形トレイ状の上ケースと下ケースとが溶着やビス止め等によって接合されて構成される。
【０００３】
上ケースと下ケースとがビス止めによって接合されるケースの場合、上ケースと下ケースの各コーナー部近傍に、それぞれ互いに対向して当接する（突き当てられる）ビスボスが立設され、下ケースの下面（底面）側からそのビスボスにビスが螺合されて、上ケースと下ケースとが接合される構成になっている（例えば、特許文献１参照）。
【特許文献１】特開平１１−３３９４３６号公報
【発明の開示】
【発明が解決しようとする課題】
【０００４】
しかしながら、上ケースと下ケースとがビス止めによって接合されるケースの場合、上ケース及び下ケースの成形上の誤差により、上ケースのビスボスと下ケースのビスボスとの当接位置（穴の位置）が微少にずれることがあり、その状態のままビスを螺合させると、そのビスボス同士のずれによって、組み立てられたケースに歪みが発生してしまうおそれがあった。特に、それによってリールの回転エリアを構成する内壁が変形してしまうと、リールの回転に悪影響を及ぼしかねない。
【０００５】
そこで、本発明は、上記事情に鑑み、リールを回転可能に収容し、ビス止めによって接合されてなるケースの歪みを抑制できる記録テープカートリッジを得ることを目的とする。
【課題を解決するための手段】
【０００６】
上記の目的を達成するために、本発明に係る請求項１に記載の記録テープカートリッジは、天板に周壁が立設された上ケースと底板に周壁が立設された下ケースとからなり、記録テープが巻装されたリールを回転可能に単一で収容する略矩形状のケースと、前記天板に形成され、前記リールの回転エリアを構成する第１内壁と、前記底板に形成され、前記第１内壁と対向して前記リールの回転エリアを構成する第２内壁と、前記第１内壁よりも外方側の前記天板に複数突設された第１ビスボスと、前記第２内壁よりも外方側の前記底板に前記第１ビスボスに突き当て可能に複数突設された第２ビスボスと、を備えた記録テープカートリッジにおいて、底面視で前記第１ビスボスと前記リールの回転中心とを結ぶ仮想直線上の前記第１内壁の一部と、平面視で前記第２ビスボスと前記リールの回転中心とを結ぶ仮想直線上の前記第２内壁の一部の何れか一方に凹部を形成するとともに何れか他方に凸部を形成し、前記上ケースと前記下ケースとを接合したときに、前記凹部に前記凸部が突き当たる構成としたことを特徴としている。
【０００７】
請求項１に記載の発明によれば、上ケースと下ケースとを接合したときに、上ケース及び下ケースの成形上の誤差によるビスボス同士のずれや、ビス止めの際の締め付けトルクによってビスボスに座屈（圧縮変形）が発生しても、そのビスボスとリールの回転中心とを結ぶ仮想直線上の第１内壁の一部と第２内壁の一部の何れか一方に形成された凹部に何れか他方に形成された凸部が突き当たるので、そのビスボス付近の変形を第１内壁及び第２内壁によって抑制することができる。
【０００８】
したがって、ケースの歪み、特にリールの回転エリアを構成する第１内壁及び第２内壁の変形を抑制することができる。
【０００９】
また、請求項２に記載の記録テープカートリッジは、請求項１に記載の記録テープカートリッジにおいて、前記凹部に対する前記凸部の突き当て高さが、前記ビスボスの突き当て高さと同一とされていることを特徴としている。
【００１０】
請求項２に記載の発明によれば、ビス止めの際の締め付けトルクによってビスボスが座屈（圧縮変形）するのを抑制することができる。
【００１１】
したがって、ケースの歪みを更に抑制することができ、リールの回転エリアを構成する第１内壁及び第２内壁の変形を更に抑制することができる。
【００１２】
また、請求項３に記載の記録テープカートリッジは、請求項１又は請求項２に記載の記録テープカートリッジにおいて、前記凹部及び前記凸部が、少なくとも４組形成されていることを特徴としている。
【００１３】
請求項３に記載の発明によれば、ケースの歪みをより一層抑制することができるため、リールの回転エリアを構成する第１内壁及び第２内壁の変形を抑制、更には防止することができる。
【発明の効果】
【００１４】
以上のように、本発明によれば、リールを回転可能に収容し、ビス止めによって接合されてなるケースの歪みを抑制できる記録テープカートリッジを提供することができる。
【発明を実施するための最良の形態】
【００１５】
以下、本発明の最良な実施の形態について、図面に示す実施例を基に詳細に説明する。なお、説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。
【００１６】
図１〜図５で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、ビス止めによって接合されて構成されている。
【００１７】
すなわち、上ケース１４及び下ケース１６の後述する上内壁４２及び下内壁４４の径方向外側（外方側）で、かつ各コーナー部の近傍には、非貫通のビスボス（第１ビスボス）１５及び貫通のビスボス（第２ビスボス）１７がそれぞれ（計４個ずつ）突設されており、下ケース１６の下面側から、そのビスボス１７及びビスボス１５に、図示しないビスが螺合されることにより、ケース１２が組み立てられる（上ケース１４と下ケース１６とが接合される）ようになっている。
【００１８】
そして、図９で詳細に示すように、下ケース１６のビスボス１７の上面内周縁部１７Ａは、環状に隆起しており、上ケース１４と下ケース１６とが接合されたときに、上ケース１４のビスボス１５の下面内周縁部１５Ａに、その上面内周縁部１７Ａが当接する（突き当てられる）ようになっている。なお、ビスボス１５、１７は、図示のものに限定されるものではなく、例えばビスボス１５の下面外周縁部を環状に隆起させ、ビスボス１７の上面内周縁部１７Ａと嵌合させる、いわゆる印籠構造としてもよい。
【００１９】
ケース１２の内部には、リール２０が１つだけ回転可能に収容される。このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００２０】
また、リールハブ２２の底壁（底部）２８の下面（外面）には、リールギア４７が環状に形成されており、下ケース１６の中央部には、そのリールギア４７を外部に露出するためのギア開口４０が穿設されている。このギア開口４０から露出されるリールギア４７が、ドライブ装置の回転シャフト１００に形成された駆動ギア１０２に噛合されて回転駆動されることにより、ケース１２内において、リール２０がケース１２に対して相対回転可能とされる（図４、図５参照）。
【００２１】
また、底壁２８の下面におけるリールギア４７の径方向内側には、磁性材料でできた環状金属板であるリールプレート４６が、インサート成形により、同軸的かつ一体的に固着されている。そして、このリールプレート４６が、ドライブ装置の回転シャフト１００に設けられた環状のマグネット（図示省略）の磁力によって吸着・保持されるようになっている。
【００２２】
また、このリール２０は、不使用時（ドライブ装置に装填されないとき）において、上ケース１４の内面にそれぞれ部分的に突設されて、後述する環状突起７８と同軸的な円形の軌跡上にある第１内壁としての上内壁４２と、下ケース１６の内面にそれぞれ部分的に突設されて、ギア開口４０と同軸的な円形の軌跡上にある第２内壁としての下内壁４４によってガタつかないように保持されている。そして、使用時（ドライブ装置に装填されたとき）において、この上内壁４２及び下内壁４４により、リール２０の回転エリアが構成されるようになっている。なお、上内壁４２及び下内壁４４については後で詳述する。
【００２３】
ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。リーダーピン３０の記録テープＴの幅方向端部より突出した両端部には、環状溝３２が形成されており、この環状溝３２が引出部材のフック等に係止される。これにより、記録テープＴを引き出す際に、フック等が記録テープＴに接触して傷付けることがない構成である。
【００２４】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００２５】
また、ピン保持部３６の近傍には、板バネ３８が固定配置されるようになっており、この板バネ３８の二股状の先端部がリーダーピン３０の上下両端部３４にそれぞれ係合してリーダーピン３０をピン保持部３６に保持するようになっている。なお、リーダーピン３０がピン保持部３６に出入する際には、板バネ３８の先端部は適宜弾性変形してリーダーピン３０の移動を許容する構成である。
【００２６】
また、その開口１８は、ドア５０によって開閉される。このドア５０は、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２７】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００２８】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００２９】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００３０】
また、図２、図３で示すように、ケース１２の左後部には、記録テープＴへの記録可・不可が設定されるライトプロテクト７０が左右方向にスライド可能に設けられており、ケース１２の後壁には、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００３１】
また更に、下ケース１６には、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようにしている。なお、この突部７４は下ケース１６の下面から突出することはない。
【００３２】
また、図２で示すように、リールハブ２２の底壁２８の上面周縁には、２個１組とされた係合ギア４８が所定の間隙を隔てて（等間隔に）複数（例えば１２０度間隔で３組）立設されており、その係合ギア４８の間で、リールギア４７上となる所定位置には、貫通孔２８Ａが複数（この場合は１２０度間隔で３個）穿設されている。そして、リールハブ２２の内周面には、上下方向が長手方向とされた複数の立リブ２３が、等間隔に複数形成されている。
【００３３】
また、リールハブ２２の内部には、樹脂材で成形された円板状の制動部材８０が設けられる。図２、図３で示すように、制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。なお、その際、制動部材８０は、立リブ２３によって径方向の移動が規制されるようになっている。
【００３４】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルスプリング９８の付勢力により、制動部材８０は、常時下方に向かって付勢される。
【００３５】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４７をギア開口４０から露出させる。
【００３６】
また、リールハブ２２の内部で、かつ制動部材８０の下側（底壁２８と制動部材８０との間）には、樹脂材で成形された平面視略正三角形状の解除部材９０が設けられる。解除部材９０には、適宜位置に所定の形状とされた貫通孔９２が複数（図示のものは六角形状とされて３つ）穿設されており、解除部材９０の軽量化が図られている。
【００３７】
また、解除部材９０の上面９０Ａ中央には平面状の支持凸部９６が形成されており、制動部材８０の下面８０Ａ中央に突設された略半球状の解除突起８２が当接するようになっている（図２、図３参照）。これにより、制動部材８０と解除部材９０との接触面積が低減され、使用時（リール２０の回転時）における摺動抵抗が軽減されるようになっている。
【００３８】
なお、制動部材８０の材質としては、例えばポリアセタール（ＰＯＭ）が用いられ、解除部材９０の材質としては、例えばポリブチレンテレフタレート（ＰＢＴ）が用いられる。また、解除部材９０の下面で、かつ各頂点部分には、貫通孔２８Ａに挿通されて底壁２８の下面（外面）からリールギア４７上に所定高さ突出する脚部９４が突設されている。
【００３９】
次に、上内壁４２及び下内壁４４の構成について詳細に説明する。図４〜図８で示すように、上内壁４２の板厚方向中央よりも外周面側は、下方（下内壁４４側）に向かって突出する係合部４２Ａとされており、下内壁４４の板厚方向中央より内周面側は、上方（上内壁４２側）に向かって突出する係合部４４Ａとされている。
【００４０】
したがって、上ケース１４と下ケース１６とを接合したとき、図４、図５で示すように、係合部４２Ａの内周面と係合部４４Ａの外周面は板厚方向（リール２０の径方向）で接触するが、係合部４２Ａの先端面及び係合部４４Ａの先端面は、それぞれ高さ方向（上下方向）で下内壁４４及び上内壁４２に接触しないように、その高さが規定されている。
【００４１】
一方、図６で示すように、底面視で各ビスボス１５とリール２０の回転中心Ｏとを結ぶ仮想直線Ｋ上における上内壁４２の外周面側（係合部４２Ａ側）の一部（幅Ｅとされた所定領域）には、側面視で「凹」形状となる凹部４３が形成されている（図８参照）。そして、同様に、図７で示すように、平面視で各ビスボス１７とリール２０の回転中心Ｏとを結ぶ仮想直線Ｋ上における下内壁４４の外周面側の一部（幅Ｅとされた所定領域）には、側面視で「凸」形状となる凸部４５が形成されている（図８参照）。
【００４２】
なお、この凹部４３及び凸部４５は、図９で示すように、上ケース１４と下ケース１６とを接合したときに、高さ方向（上下方向）で当接する（突き当たる）ように、その深さ及び高さが規定されている。すなわち、図８で示すように、凸部４５は、係合部４４Ａよりもその高さが高くなるように構成されており、それに伴って凹部４３の深さが決められるようになっている。
【００４３】
そして、その凸部４５の高さは、図９で示すように、上ケース１４と下ケース１６とを接合したときのビスボス１５とビスボス１７の突き当て高さと同一となる高さとされている。なお、図６、図７で示すように、凹部４３及び凸部４５は、それぞれビスボス１５、１７の近傍で少なくとも４個形成されることが望ましい。また、図示の凹部４３及び凸部４５の幅Ｅは、ビスボス１５、１７の直径と同一とされているが、これに限定されるものではなく、例えばそれよりも大きい幅Ｅに形成しても構わない。
【００４４】
以上のような構成の記録テープカートリッジ１０において、次に、その作用について図４、図５を基に説明する。記録テープカートリッジ１０では、不使用時（保管時や運搬時等）には、開口１８がドア５０によって閉塞されている。そして、圧縮コイルスプリング９８の付勢力によって、制動部材８０が回転ロック位置に位置して制動ギア８４を係合ギア４８に噛合させている。このため、リール２０は、ケース１２に対する回転が阻止されている。また、解除部材９０は、その脚部９４をリールギア４７上の貫通孔２８Ａから底壁２８の下面（外面）側へ突出させている。
【００４５】
さて、記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って溝部６４内を後側へ摺動し、開口１８を開放する。
【００４６】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に正確に位置決めされ、ドア５０のそれ以上の摺動（後方への移動）が規制される。
【００４７】
また、この記録テープカートリッジ１０の下降動作によって、回転シャフト１００が相対的にギア開口４０から進入し、駆動ギア１０２をリールギア４７に噛合させる。すると、その駆動ギア１０２がリールギア４７と噛合する動作に伴って、リールギア４７上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００４８】
こうして、制動ギア８４と係合ギア４８との噛合が完全に解除され、駆動ギア１０２とリールギア４７とが完全に噛合した状態で、リールプレート４６が、駆動ギア１０２の径方向内側に設けられた環状のマグネットの磁力によって吸着・保持されることにより、リール２０は、駆動ギア１０２に対するリールギア４７の噛合が維持されつつ、ケース１２内で、そのケース１２に対して相対回転可能となるロック解除状態とされる。
【００４９】
一方、開放された開口１８からは、ドライブ装置側に設けられた引出部材がケース１２内に進入し、ピン保持部３６に位置決め保持されたリーダーピン３０を把持して引き出す。なお、このとき、記録テープカートリッジ１０はドライブ装置内において正確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００５０】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００５１】
情報の記録や再生が終了した記録テープカートリッジ１０をドライブ装置から排出する際には、まず、回転シャフト１００が逆回転することにより、記録テープＴがリール２０に巻き戻される。そして、記録テープＴがリール２０に最後まで巻き戻されて、リーダーピン３０がピン保持部３６に保持されると、記録テープカートリッジ１０は所定高さ上昇し、位置決め部材が位置決め用の穴部から抜き出されるとともに、回転シャフト１００がギア開口４０から抜き出され、リールギア４７に対する駆動ギア１０２の噛合が解除される。
【００５２】
すると、圧縮コイルスプリング９８の付勢力により、制動部材８０及び解除部材９０が下方に向かって押圧され、脚部９４が貫通孔２８Ａに挿通されて底壁２８の下面（外面）からリールギア４７上に所定量突出するとともに、制動ギア８４が係合ギア４８に噛合する。これにより、リール２０は、再度ケース１２内での相対回転が阻止された回転ロック状態となり、その後、記録テープカートリッジ１０は、図示しないイジェクト機構によって矢印Ａ方向とは反対方向に移動される。
【００５３】
すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００５４】
ここで更に、凹部４３が形成された上内壁４２と凸部４５が形成された下内壁４４の作用について説明する。上記構成の上内壁４２を有する上ケース１４と、上記構成の下内壁４４を有する下ケース１６とを、ビスボス１５とビスボス１７を突き当てるとともに、底板１６Ａの下面側からビス（図示省略）を螺合して接合したときには、図４、図５で示すように、板厚方向（リール２０の径方向）において、係合部４２Ａの内周面と係合部４４Ａの外周面が接触し、図９、図１０で示すように、高さ方向（上下方向）において、凹部４３に凸部４５が突き当たる（当接する）。
【００５５】
したがって、上ケース１４及び下ケース１６の成形上の誤差によるビスボス１５、１７同士のずれや、ビス止めの際の締め付けトルクによってビスボス１５、１７に座屈（圧縮変形）が発生しても、そのビスボス１５、１７付近のケース１２の変形（歪み）を上内壁４２及び下内壁４４の突き当て部分（凹部４３及び凸部４５）によって抑制することができる。そして、これにより、上内壁４２及び下内壁４４の変形も抑制することができ、その上内壁４２及び下内壁４４によって構成されるリール２０の回転エリアにおける変形を抑制することができるため、リール２０の回転に悪影響を及ぼさないようにできる。
【００５６】
また、凹部４３に対する凸部４５の突き当て高さ（当接高さ）が、ビスボス１５とビスボス１７の突き当て高さ（当接高さ）と同一とされていると、ビス止めの際の締め付けトルクによってビスボス１５及びビスボス１７が座屈（圧縮変形）すること自体を、その上内壁４２及び下内壁４４の突き当て部分（凹部４３及び凸部４５）によって抑制することができる。したがって、ケース１２全体の歪みを更に抑制することができる（ケース１２全体の平面性を向上させることができる）。
【００５７】
なお、凹部４３及び凸部４５は、上内壁４２及び下内壁４４の他の部位（各ビスボス１５、１７とリール２０の回転中心Ｏとを結ぶ仮想直線Ｋ上の所定領域以外の部位）に形成してもよい。但し、凹部４３及び凸部４５が、少なくとも各ビスボス１５、１７の近傍、即ち各ビスボス１５、１７とリール２０の回転中心Ｏとを結ぶ仮想直線Ｋ上の所定領域に（４組）形成されていると、リール２０の回転エリアを構成する上内壁４２及び下内壁４４の変形を抑制又は防止することができ、ケース１２全体の歪みをより一層抑制することができる（ケース１２全体の平面性を更に向上させることができる）。
【００５８】
以上、説明したように、上ケース１４の上内壁４２に凹部４３を形成するとともに、下ケース１６の下内壁４４に凸部４５を形成し、上ケース１４と下ケース１６とを接合したときに、凹部４３に凸部４５が高さ方向（上下方向）において当接する（突き当たる）ように構成したので、ビスボス１５、１７が締め付けトルクによって座屈（圧縮変形）しても、リール２０の回転エリアを構成する上内壁４２及び下内壁４４の変形を抑制又は防止することができる。
【００５９】
なお、凹部４３及び凸部４５は上下逆に形成してもよい。すなわち、上内壁４２に凸部４５を形成し、下内壁４４に凹部４３を形成してもよい。その場合も、凹部４３に対する凸部４５の突き当て高さをビスボス１５、１７の突き当て高さと同一高さにすることが望ましい。また、上内壁４２及び下内壁４４には、それぞれ係合部４２Ａ、４４Ａを形成しなくてもよい。つまり、少なくとも凹部４３及び凸部４５が形成されていれば、上記効果を奏することができる。
【００６０】
また、上記実施例の記録テープカートリッジ１０では、リーダー部材としてリーダーピン３０を有する構成としたが、記録テープカートリッジ１０は、上記実施例に限定されるものではなく、例えばリーダー部材としてリーダーテープ（図示省略）を有する構成としてもよい。更に、記録テープＴは、情報の記録及び記録した情報の再生が可能な長尺テープ状の情報記録再生媒体として把握されるものであれば足り、本発明に係る記録テープカートリッジ１０が、如何なる記録再生方式の記録テープＴにも適用可能であることは言うまでもない。
【図面の簡単な説明】
【００６１】
【図１】記録テープカートリッジの概略斜視図
【図２】記録テープカートリッジを上方から見た場合の概略分解斜視図
【図３】記録テープカートリッジを下方から見た場合の概略分解斜視図
【図４】記録テープカートリッジのリールが回転ロック位置にあるときの概略断面図
【図５】記録テープカートリッジのリールが回転許容位置にあるときの概略断面図
【図６】上ケースの概略底面図
【図７】下ケースの概略平面図
【図８】上内壁と下内壁の構成を示す概略斜視図
【図９】上ケースと下ケースとを接合したときの上内壁と下内壁の状態を示す説明図
【図１０】ビスボスと共に示す図９のＸ−Ｘ線矢視概略断面図
【符号の説明】
【００６２】
１０  記録テープカートリッジ
１２  ケース
１４  上ケース
１４Ａ  天板
１４Ｂ  周壁
１５  ビスボス（第１ビスボス）
１６  下ケース
１６Ａ  底板
１６Ｂ  周壁
１７  ビスボス（第２ビスボス）
２０  リール
３０  リーダーピン
４２  上内壁（第１内壁）
４２Ａ  係合部
４３  凹部
４４  下内壁（第２内壁）
４４Ａ  係合部
４５  凸部
５０  ドア
７０  ライトプロテクト
８０  制動部材
９０  解除部材
１００  回転シャフト
Ｔ  記録テープ
【図１】
0004879851.tif 000002
【図２】
0004879851.tif 000003
【図３】
0004879851.tif 000004
【図４】
0004879851.tif 000005
【図５】
0004879851.tif 000006
【図６】
0004879851.tif 000007
【図７】
0004879851.tif 000008
【図８】
0004879851.tif 000009
【図９】
0004879851.tif 000010
【図１０】
0004879851.tif 000011